(57)【要約】【課題】使用者が行動を邪魔されずに眼鏡の掛けはずし動作を簡単に行うことを可能とする掛止機能付き眼鏡フレームを提供することを目的とする。【解決手段】掛止機能付き眼鏡フレームは、眼鏡フレーム前側部材と眼鏡フレーム後側部材とを有する。眼鏡フレーム前側部材は、左右一対のリムと、左右一対のリムを接続するブリッジと、左のリムの外側部に設けられている左係合部と、右のリムの外側部に設けられている右係合部とを有する。眼鏡フレーム後側部材は、上記左係合部に取り付けられる左取付部が一端側に設けられておりかつ弾性部を含む左側帯部と、上記右係合部に取り付けられる右取付部が一端側に設けられておりかつ弾性部を含む右側帯部とを有する。上記左側帯部及び上記右側帯部のそれぞれは、他端側に設けられ、左側帯部及び右側帯部の相手方の上記他端側への着脱を可能にする着脱部を含む。【選択図】図１
2012185370.tif 000002
【特許請求の範囲】
【請求項１】
左右のレンズのそれぞれを保持するための左右一対のリム、それら左右一対のリムを接続するブリッジ、上記左のリムの外側部に設けられている左係合部、及び上記右のリムの外側部に設けられている右係合部を有する眼鏡フレーム前側部材と、
上記左係合部に取り付けられる左取付部が一端側に設けられておりかつ弾性部を含む左側帯部、及び上記右係合部に取り付けられる右取付部が一端側に設けられておりかつ弾性部を含む右側帯部を有する眼鏡フレーム後側部材とを備え、
上記左側帯部及び上記右側帯部のそれぞれが、他端側に設けられ、上記左側帯部及び上記右側帯部の相手方の上記他端側への着脱を可能にする着脱部を含む
掛止機能付き眼鏡フレーム。
【請求項２】
左右のレンズのそれぞれを保持するための左右一対のリム、それら左右一対のリムを接続するブリッジ、上記左のリムの外側部に設けられている左係合部、及び上記右のリムの外側部に設けられている右係合部を有する眼鏡フレーム前側部材と、
弾性部を有する帯部、上記帯部の一端側に設けられており掛止機能付き眼鏡フレームの眼鏡フレーム前側部材の左係合部に取り付けられる左取付部、及び上記帯部の他端側に設けられており上記眼鏡フレーム前側部材の右係合部に取り付けられる右取付部を有する帯状の眼鏡フレーム後側部材と
を備える掛止機能付き眼鏡フレーム。
【請求項３】
上記左係合部及び上記右係合部が枠状凸片であり、
上記左取付部及び上記右取付部が面ファスナである
請求項１又は２に記載の掛止機能付き眼鏡フレーム。
【請求項４】
上記眼鏡フレーム前側部材が、上記左右一対のリムのそれぞれの対向部又は上記ブリッジに設けられている弾性体の鼻パッドを更に有する
請求項１、請求項２又は請求項３に記載の掛止機能付き眼鏡フレーム。
【請求項５】
左右のレンズのそれぞれを保持するための左右一対のリムと、
それら左右一対のリムを接続するブリッジと、
上記左のリムの外側部に設けられている左係合部と、
上記右のリムの外側部に設けられている右係合部とを備え、
上記左係合部には、掛止機能付き眼鏡フレームの眼鏡フレーム後側部材の左取付部が取り付けられ、
上記右係合部には、上記眼鏡フレーム後側部材の右取付部が取り付けられる
眼鏡フレーム前側部材。
【請求項６】
掛止機能付き眼鏡フレームの眼鏡フレーム前側部材の左係合部に取り付けられる左取付部が一端側に設けられており、かつ弾性部を有する左側帯部と、
上記眼鏡フレーム前側部材の右係合部に取り付けられる右取付部が一端側に設けられており、かつ弾性部を有する右側帯部とを備え、
上記左側帯部及び上記右側帯部のそれぞれが、他端側に設けられ、上記左側帯部及び上記右側帯部の相手方の上記他端側への着脱を可能にする着脱部を有する
眼鏡フレーム後側部材。
【請求項７】
弾性部を有する帯部と、
上記帯部の一端側に設けられており、掛止機能付き眼鏡フレームの眼鏡フレーム前側部材の左係合部に取り付けられる左取付部と、
上記帯部の他端側に設けられており、上記眼鏡フレーム前側部材の右係合部に取り付けられる右取付部と
を備える眼鏡フレーム後側部材。
【発明の詳細な説明】
【技術分野】
【０００１】
本発明は、掛止機能付き眼鏡フレーム、眼鏡フレーム前側部材、及び眼鏡フレーム後側部材に関する。
【背景技術】
【０００２】
近視、遠視又は乱視等の視力を調整したり、強い光線から目を保護したりするために、眼鏡が用いられる。眼鏡を用いる人のなかには、常に眼鏡を掛ける人もいれば、必要なときにだけ眼鏡を掛ける人もいる。例えば、遠くの物はよく見えるが近くの物が見えにくい人は、近くの物を見るときにだけ眼鏡を掛ける。
【０００３】
必要なときにだけ眼鏡を掛ける人（以下、「使用者」と記載する。）には、はずした眼鏡の置き場所を忘れてその眼鏡を探さなければならないという問題が生じる場合がある。その問題を生じさせないこと等のために、使用者が眼鏡を常時携帯することを可能にする紐状物が提案されている（例えば、特開２００１−３５６３０６号公報参照）。使用者が眼鏡フレームの両テンプルに紐状物の両端部を固定して紐状物の中央部を首の後ろ側に配置すれば、眼鏡をはずしても紐状物により眼鏡は使用者に携帯されるので、使用者には、はずした眼鏡を探さなければならないという問題は生じない。
【先行技術文献】
【特許文献】
【０００４】
【特許文献１】特開２００１−３５６３０６号公報
【発明の概要】
【発明が解決しようとする課題】
【０００５】
ところで、使用者が遠くの物はよく見えるが近くの物が見えにくい者であってかつ荷物の運搬を業として行う者である場合、使用者は、上記の紐状物を用いる際、運搬先の住所が記載されたメモを見るとき等の近くの物を見るときにだけ眼鏡を掛け、手で荷物を運ぶときには眼鏡をはずす。はずされた眼鏡は、使用者の胸に接するような場所に位置するので、使用者が荷物を抱えることを邪魔するという問題を生じさせる。
【０００６】
また、使用者が身体全体を使って行動することが多い子供である場合、使用者が上記の紐状物を用いるとき、はずされた眼鏡は使用者の行動を邪魔する。このように、従来の紐状物は、使用者が眼鏡を常時携帯することを可能にするが、眼鏡をはずした使用者の行動に支障をきたす。
【０００７】
上記の紐状物が用いられなければ、使用者には、はずした眼鏡の置き場所を忘れてその眼鏡を探さなければならないという上記の問題が生じる場合があり、また、置き場所を認識していても、眼鏡の掛けはずし動作が煩わしく感じられる場合がある。使用者は、行動を邪魔されずに眼鏡の掛けはずしを簡単に行えることを希望する。
【０００８】
本発明は、使用者が行動を邪魔されずに眼鏡の掛けはずし動作を簡単に行うことを可能とする掛止機能付き眼鏡フレーム、眼鏡フレーム前側部材、及び眼鏡フレーム後側部材を提供することを目的とする。
【課題を解決するための手段】
【０００９】
本発明のある態様の掛止機能付き眼鏡フレームは、
左右のレンズのそれぞれを保持するための左右一対のリム、それら左右一対のリムを接続するブリッジ、上記左のリムの外側部に設けられている左係合部、及び上記右のリムの外側部に設けられている右係合部を含む眼鏡フレーム前側部材と、
上記左係合部に取り付けられる左取付部が一端側に設けられておりかつ弾性部を含む左側帯部、及び上記右係合部に取り付けられる右取付部が一端側に設けられておりかつ弾性部を含む右側帯部を含む眼鏡フレーム後側部材とを有し、
上記左側帯部及び上記右側帯部のそれぞれが、他端側に設けられ、上記左側帯部及び上記右側帯部の相手方の上記他端側への着脱を可能にする着脱部を含む。
【００１０】
使用者は、当該掛止機能付き眼鏡フレームの眼鏡フレーム前側部材の左係合部に眼鏡フレーム後側部材の左側帯部の左取付部を取り付け、眼鏡フレーム前側部材の右係合部に眼鏡フレーム後側部材の右側帯部の右取付部を取り付け、眼鏡フレーム前側部材の左右一対のリムを目の前に位置させて、左側帯部の他端側と右側帯部の他端側とを後頭部で取り付ける。左側帯部及び右側帯部のそれぞれが他端側に着脱部を含むので、使用者は、左側帯部の他端側と右側帯部の他端側とを容易に取り付けることができ、それにより使用者は当該掛止機能付き眼鏡フレームにレンズが装着された眼鏡を容易に掛けることができる。また、左側帯部及び右側帯部が弾性部を含むので左側帯部及び右側帯部が長さ方向等に伸び、それにより使用者は、眼鏡フレーム後側部材を後頭部に接触させた状態で、眼鏡フレーム前側部材を手で持って目の前から前頭部に容易に移動させることができ、移動させた眼鏡フレーム前側部材を摩擦力と上記弾性部の復元力とにより前頭部に留まらせることができる。また、上記弾性部により左側帯部及び右側帯部が長さ方向等に伸びるので、使用者は、眼鏡フレーム後側部材を後頭部に接触させた状態で、眼鏡フレーム前側部材を手で持って後頭部から目の前に容易に移動させることができる。このように、眼鏡を頭部に常時位置させることができるので、使用者は眼鏡の掛けはずし動作を簡単に行うことができる。また、眼鏡をはずした使用者は眼鏡に邪魔されることなく行動することができる。
【００１１】
本発明の別の態様の掛止機能付き眼鏡フレームは、
左右のレンズのそれぞれを保持するための左右一対のリム、それら左右一対のリムを接続するブリッジ、上記左のリムの外側部に設けられている左係合部、及び上記右のリムの外側部に設けられている右係合部を含む眼鏡フレーム前側部材と、
弾性部を含む帯部、上記帯部の一端側に設けられており掛止機能付き眼鏡フレームの眼鏡フレーム前側部材の左係合部に取り付けられる左取付部、及び上記帯部の他端側に設けられており上記眼鏡フレーム前側部材の右係合部に取り付けられる右取付部を含む帯状の眼鏡フレーム後側部材と
を有する。
【００１２】
使用者は、当該掛止機能付き眼鏡フレームの眼鏡フレーム前側部材の左係合部に眼鏡フレーム後側部材の左取付部を取り付け、眼鏡フレーム前側部材の右係合部に眼鏡フレーム後側部材の右取付部を取り付けて、かぶるようにして当該掛止機能付き眼鏡フレームにレンズが装着された眼鏡を掛ける。眼鏡フレーム後側部材が弾性部を含むので長さ方向等に伸び、それにより使用者は、眼鏡フレーム後側部材を後頭部に接触させた状態で眼鏡を容易に掛けることができる。また、眼鏡フレーム後側部材が弾性部を含むので長さ方向等に伸び、それにより使用者は、眼鏡フレーム後側部材を後頭部に接触させた状態で、眼鏡フレーム前側部材を手で持って目の前から前頭部に移動させることができ、移動させた眼鏡フレーム前側部材を摩擦力と上記弾性部の復元力とにより前頭部に留まらせることができる。また、眼鏡フレーム後側部材が弾性部を含むので眼鏡フレーム後側部材が長さ方向等に伸び、それにより使用者は、眼鏡フレーム後側部材を後頭部に接触させた状態で、眼鏡フレーム前側部材を手で持って目の前に容易に移動させることができる。このように、眼鏡を頭部に常時位置させることができるので、使用者は眼鏡の掛けはずし動作を簡単に行うことができる。また、眼鏡をはずした使用者は眼鏡に邪魔されることなく行動することができる。
【００１３】
上記左係合部及び上記右係合部が枠状凸片であって、かつ上記左取付部及び上記右取付部が面ファスナであってもよい。その場合、使用者は、眼鏡フレーム前側部材の左係合部による枠に眼鏡フレーム後側部材の一端側を挿入して折り返すことにより、左係合部に眼鏡フレーム後側部材の左取付部を容易に取り付けることができ、同様に、眼鏡フレーム前側部材の右係合部に眼鏡フレーム後側部材の右取付部を容易に取り付けることができる。
【００１４】
上記眼鏡フレーム前側部材が、上記左右一対のリムのそれぞれの対向部又は上記ブリッジに設けられている弾性体の鼻パッドを更に含んでよい。その場合、鼻パッドは弾性変形するので、使用者は、前頭部に留まった眼鏡フレーム前側部材に対して痛み等の不快をあまり感じない。
【００１５】
上述の通り、当該掛止機能付き眼鏡フレームは眼鏡フレーム前側部材と眼鏡フレーム後側部材とを有しており、眼鏡フレーム前側部材及び眼鏡フレーム後側部材のそれぞれは、相手方と一体化された場合、使用者が行動を邪魔されずに眼鏡の掛けはずし動作を簡単に行うことを可能とする。しかしながら、眼鏡フレーム前側部材及び眼鏡フレーム後側部材のそれぞれは、独立して流通可能な物と成り得る。そのため、以下の態様の物も本発明の一つの態様である。
【００１６】
すなわち、本発明のある態様の眼鏡フレーム前側部材は、
左右のレンズのそれぞれを保持するための左右一対のリムと、
それら左右一対のリムを接続するブリッジと、
上記左のリムの外側部に設けられている左係合部と、
上記右のリムの外側部に設けられている右係合部とを有し、
上記左係合部には、掛止機能付き眼鏡フレームの眼鏡フレーム後側部材の左取付部が取り付けられ、
上記右係合部には、上記眼鏡フレーム後側部材の右取付部が取り付けられる。
【００１７】
本発明のある態様の眼鏡フレーム後側部材は、
掛止機能付き眼鏡フレームの眼鏡フレーム前側部材の左係合部に取り付けられる左取付部が一端側に設けられており、かつ弾性部を含む左側帯部と、
上記眼鏡フレーム前側部材の右係合部に取り付けられる右取付部が一端側に設けられており、かつ弾性部を含む右側帯部とを有し、
上記左側帯部及び上記右側帯部のそれぞれが、他端側に設けられ、上記左側帯部及び上記右側帯部の相手方の上記他端側への着脱を可能にする着脱部を含む。
【００１８】
本発明の別の態様の眼鏡フレーム後側部材は、
弾性部を含む帯部と、
上記帯部の一端側に設けられており、掛止機能付き眼鏡フレームの眼鏡フレーム前側部材の左係合部に取り付けられる左取付部と、
上記帯部の他端側に設けられており、上記眼鏡フレーム前側部材の右係合部に取り付けられる右取付部と
を有する。
【発明の効果】
【００１９】
本発明は、使用者が行動を邪魔されずに眼鏡の掛けはずし動作を簡単に行うことを可能とする掛止機能付き眼鏡フレーム、眼鏡フレーム前側部材、及び眼鏡フレーム後側部材を提供することができる。
【図面の簡単な説明】
【００２０】
【図１】本発明の実施の形態の掛止機能付き眼鏡フレームの斜視図である。
【図２】図１の眼鏡フレーム前側部材の斜視図である。
【図３】図１の眼鏡フレーム後側部材の平面図である。
【発明を実施するための形態】
【００２１】
以下に、本発明の実施の形態を図面を参照して説明する。
【００２２】
先ず、図１の掛止機能付き眼鏡フレーム１の構成を説明する。掛止機能付き眼鏡フレーム１は、眼鏡フレーム前側部材２と眼鏡フレーム後側部材３とを有する。眼鏡フレーム前側部材２は、左右のレンズが装着される部材であって、図２にも示すように、左側リム２１と、右側リム２２と、ブリッジ２３と、左枠状凸片２４と、右枠状凸片２５と、左鼻パッド２６と、右鼻パッド２７とを有する。左側リム２１、右側リム２２、ブリッジ２３、左枠状凸片２４、及び右枠状凸片２５は、合成樹脂によって一体的に形成されている。
【００２３】
左側リム２１は、左側レンズを保持するための枠であって、左側レンズが装着され、装着された左側レンズを保持する。右側リム２２は、左側リム２１と同等の部材であって、装着された右側レンズを保持する。ブリッジ２３は、左側リム２１と右側リム２２とをそれぞれの内側で接続している。左枠状凸片２４は、Ｕ字状の線部材であって、左側リム２１の外側部とともに枠を形成するように、左側リム２１の外側部に設けられている。左枠状凸片２４と左側リム２１の外側部とにより形成されている枠の内側の高さは例えば１０〜３０ｍｍ程度であり、幅は例えば３〜７ｍｍ程度である。右枠状凸片２５は、左枠状凸片２４と同等のＵ字状の線部材であって、右側リム２２の外側部とともに枠を形成するように、右側リム２２の外側部に設けられている。
【００２４】
左鼻パッド２６は図示されていないが本体部と被覆部とを有し、本体部は、従来の鼻パッドと同様の形態のものであって、合成樹脂により左側リム２１等との一体的な形成により、左側リム２１の右側リム２２との対向部に設けられている。左鼻パッド２６の被覆部は、本体部の表面を覆う部材であって、弾性を有する低反発材料によって形成されている。右鼻パッド２７は、左鼻パッド２６と同等の部材であって、図示されていないが本体部と被覆部とを有し、本体部は、合成樹脂により右側リム２２等との一体的な形成により、右側リム２２の左側リム２１との対向部に設けられている。右鼻パッド２７の被覆部は、右鼻パッド２７の本体部の表面を覆う部材であって、弾性を有する低反発材料によって形成されている。低反発材料は、例えばウレタン樹脂である。
【００２５】
眼鏡フレーム後側部材３は、図１及び図３に示すように、左側帯部３１と、右側帯部３２とを有する。左側帯部３１は、内部の全体がゴムで形成されており外表部の全体が布で形成されている帯状体である。左側帯部３１の一端側の両面部には、左側帯部３１の一端側を眼鏡フレーム前側部材２の左枠状凸片２４により形成されている枠に取り付けるための面ファスナ３１ａが左取付部として設けられており、左側帯部３１の他端側の両面部には、右側帯部３２の他端側への着脱を可能にする面ファスナ３１ｂが着脱部として設けられている。
【００２６】
右側帯部３２は、左側帯部３１と同等の部材であって、内部の全体がゴムで形成されており外表部の全体が布で形成されている帯状体である。右側帯部３２の一端側の両面部には、右側帯部３２の一端側を眼鏡フレーム前側部材２の右枠状凸片２５により形成されている枠に取り付けるための面ファスナ３２ａが右取付部として設けられており、右側帯部３２の他端側の両面部には、左側帯部３１の他端側への着脱を可能にする面ファスナ３２ｂが着脱部として設けられている。左側帯部３１及び右側帯部３２のそれぞれの幅は例えば７〜２５ｍｍ程度であり、厚さは例えば１〜３ｍｍ程度であり、長さは例えば１５０〜２５０ｍｍ程度である。
【００２７】
次に、図１の掛止機能付き眼鏡フレーム１に左右のレンズが装着された眼鏡の使用方法を説明する。先ず、使用者は、眼鏡フレーム前側部材２の左枠状凸片２４により形成されている枠の中に、左側帯部３１の一端側をその枠の外側から通して折り返し、面ファスナ３１ａのある部分を別の部分と貼り合わせることによりその一端側をその枠に取り付ける。同様にして、使用者は、右側帯部３２の一端側を右枠状凸片２５により形成されている枠に取り付ける。
【００２８】
そして、使用者は、眼鏡フレーム前側部材２の左側リム２１を左目の前に位置させ、右側リム２２を右目の前に位置させ、眼鏡フレーム後側部材３の左側帯部３１及び右側帯部３２のそれぞれの他端側を後頭部に位置させる。使用者は、左側帯部３１の他端側に設けられている面ファスナ３１ｂと、右側帯部３２の他端側に設けられている面ファスナ３２ｂとを後頭部において貼り合わせる。それにより使用者は、レンズが掛止機能付き眼鏡フレーム１に装着された眼鏡を掛けることができる。
【００２９】
使用者は、眼鏡をはずす場合、眼鏡フレーム後側部材３を後頭部に接触させた状態で、眼鏡フレーム前側部材２を手で持って前頭部に移動させる。眼鏡フレーム後側部材３を構成する左側帯部３１及び右側帯部３２のそれぞれが弾性部を含んでいるので左側帯部３１及び右側帯部３２が長さ方向等に伸び、それにより使用者は、眼鏡フレーム後側部材３を後頭部に接触させたまま眼鏡フレーム前側部材２を容易に前頭部に移動させることができる。また、摩擦力及び上記弾性部の復元力により、眼鏡フレーム前側部材２は前頭部に留まる。また、眼鏡フレーム前側部材２を構成する左鼻パッド２６及び右鼻パッド２７の表面の被覆部が弾性を有するのでその被覆部が緩衝効果を発揮し、それにより使用者は、前頭部に留まった眼鏡フレーム前側部材２に対して痛み等の不快をあまり感じない。
【００３０】
使用者は、眼鏡を再び掛けようとする場合、眼鏡フレーム後側部材３を後頭部に接触させた状態で、眼鏡フレーム前側部材２を手で持って目の前に移動させる。左側帯部３１及び右側帯部３２のそれぞれが弾性部を含んでいるので左側帯部３１及び右側帯部３２が長さ方向等に伸び、それにより使用者は、眼鏡フレーム後側部材３を後頭部に接触させたまま眼鏡フレーム前側部材２を目の前に容易に移動させることができる。
【００３１】
上述の通り、使用者は、眼鏡フレーム後側部材３を後頭部に接触させた状態で、眼鏡を必要とする場合に眼鏡フレーム前側部材２を目の前に位置させ、眼鏡を必要としない場合に眼鏡フレーム前側部材２を前頭部に位置させる。眼鏡フレーム後側部材３を構成する左側帯部３１及び右側帯部３２のそれぞれが弾性部を含んでいるので左側帯部３１及び右側帯部３２が長さ方向等に伸び、それにより使用者は、眼鏡フレーム後側部材３を後頭部に位置させた状態で眼鏡フレーム前側部材２を容易に移動させることができる。眼鏡は頭部に常時位置するので、使用者は眼鏡の掛けはずし動作を簡単に行うことができる。また、眼鏡をはずした使用者は眼鏡に邪魔されることなく行動することができる。
【００３２】
また、眼鏡フレーム後側部材３の左側帯部３１の一端側には、その一端側を眼鏡フレーム前側部材２の左枠状凸片２４により形成されている枠に取り付けるための面ファスナ３１ａが設けられており、眼鏡フレーム後側部材３の右側帯部３２の一端側には、その一端側を眼鏡フレーム前側部材２の右枠状凸片２５により形成されている枠に取り付けるための面ファスナ３２ａが設けられている。面ファスナは取り付け及び取り外しを容易に行うことを可能とするものであるので、使用者は、左側帯部３１の一端側を左枠状凸片２４により形成されている枠に通して折り返すことにより、左側帯部３１の一端側をその枠に容易に取り付けることができる。同様に、使用者は、右側帯部３２の一端側を右枠状凸片２５により形成されている枠に容易に取り付けることができる。
【００３３】
また、左側帯部３１の他端側には、右側帯部３２の他端側への着脱を可能にする面ファスナ３１ｂが設けられており、右側帯部３２の他端側には、左側帯部３１の他端側への着脱を可能にする面ファスナ３２ｂが設けられている。面ファスナは取り付け及び取り外しを容易に行うことを可能とするものであるので、使用者は、面ファスナ３１ｂ及び面ファスナ３２ｂを用いることにより、左側帯部３１及び右側帯部３２のそれぞれの他端側を容易に着脱することができる。
【００３４】
また、眼鏡フレーム前側部材２の左鼻パッド２６及び右鼻パッド２７の被覆部は弾性変形するので緩衝部材となり、その被覆部は、前頭部に留まった眼鏡フレーム前側部材２に使用者に痛み等の不快をあまり感じさせないという効果を奏する。
【００３５】
また、使用者は、入浴時や就寝時等の眼鏡を全く必要としない場合、掛止機能付き眼鏡フレーム１を台に置く。そのとき、使用者は、眼鏡フレーム後側部材３を構成する左側帯部３１及び右側帯部３２が台に接し、かつ眼鏡フレーム前側部材２が左側帯部３１及び右側帯部３２の上に位置するように掛止機能付き眼鏡フレーム１を台に置くと、左側帯部３１及び右側帯部３２のそれぞれの外表部が布製であるので、レンズに傷をつきにくくすることができる。
【００３６】
（変形例）
なお、上述した実施の形態では、眼鏡フレーム前側部材２の左側リム２１、右側リム２２、ブリッジ２３、左枠状凸片２４、右枠状凸片２５、左鼻パッド２６の本体部、及び右鼻パッド２７の本体部は、合成樹脂によって一体的に形成されている。しかしながら、それらの構成要素は、合成樹脂以外の材料によって形成されてもよい。例えば、それらの構成要素は、チタン等の金属によって形成されてもよい。また、それらの各構成要素は、一体的にではなく個別に形成されて、溶接又は接着剤によって互いに固定されあってもよい。
【００３７】
また、上述した実施の形態では、眼鏡フレーム前側部材２の左側リム２１には、その外側部と左枠状凸片２４とによって枠が形成されている。しかしながら、その枠は、左枠状凸片２４が用いられることなく、空間部を四方から囲む線部材が左側リム２１の外側部に固定されることによって設けられてもよい。同様に、右側リム２２には、その外側部と右枠状凸片２５とによって枠が形成されているが、その枠は、空間部を四方から囲む線部材が右側リム２２の外側部に固定されることによって設けられてもよい。要するに、左側リム２１の外側部と右側リム２２の外側部とに枠が設けられていればよい。その枠の一部には欠けた部分があってもよい。また、左枠状凸片２４及び右枠状凸片２５の大きさは、上述した実施の形態に限定されない。
【００３８】
また、上述した実施の形態では、眼鏡フレーム前側部材２の左鼻パッド２６は、従来の鼻パッドと同様な形態の本体部と、被覆部とを有する。しかしながら、左鼻パッド２６は、左側リム２１に固定されていれば、全体又は、左側リム２１への固定部分以外の大部分が弾性を有する材料によって形成されたものであってもよい。右鼻パッド２７も、左鼻パッド２６と同様に、右側リム２２に固定されていれば、全体又は、右側リム２２への固定部分以外の大部分が弾性を有する材料によって形成されたものであってもよい。要するに、左鼻パッド２６及び右鼻パッド２７の表面が弾性を有する部材であればよい。その弾性を有する部材は、ウレタン樹脂に限定されない。
【００３９】
また、上述した実施の形態では、眼鏡フレーム前側部材２の左鼻パッド２６は左側リム２１に設けられており、右鼻パッド２７は右側リム２２に設けられている。しかしながら、左鼻パッド２６及び右鼻パッド２７は、ブリッジ２３に設けられてもよい。
【００４０】
また、上述した実施の形態では、眼鏡フレーム後側部材３は、左側帯部３１と、右側帯部３２とを有し、左側帯部３１及び右側帯部３２のそれぞれは、内部の全体がゴムで形成されており外表部の全体が布で形成されている帯状体である。しかしながら、左側帯部３１及び右側帯部３２のそれぞれは、内部の一部のみがゴムで形成されてもよい。また、ゴムは他の弾性体に置き換えられてもよい。また、左側帯部３１及び右側帯部３２の外表部は一部のみが布製であってもよいし、外表部は布以外の材料により形成されてもよい。更に、左側帯部３１及び右側帯部３２のそれぞれは、少なくとも一部に弾性を有していれば、内部と外表部とに分けられることなく、一つの材料により形成されてもよい。
【００４１】
また、上述した実施の形態では、眼鏡フレーム後側部材３の左側帯部３１の一端側には、その一端側を眼鏡フレーム前側部材２の左側リム２１の外側部に設けられている枠に取り付けるための面ファスナ３１ａが設けられている。しかしながら、左側帯部３１の一端側には、面ファスナ３１ａに代えて鉤が設けられてもよい。要するに、左側帯部３１の一端側には、その一端側を上記枠に取り付けるための左取付部が設けられていればよい。同様に、上述した実施の形態では、眼鏡フレーム後側部材３の右側帯部３２の一端側には、その一端側を眼鏡フレーム前側部材２の右側リム２２の外側部に設けられている枠に取り付けるための面ファスナ３２ａが設けられているが、右側帯部３２の一端側には鉤が設けられていてもよい。要するに、右側帯部３２の一端側には、その一端側を上記枠に取り付けるための右取付部が設けられていればよい。
【００４２】
また、上述した実施の形態では、眼鏡フレーム後側部材３の左側帯部３１及び右側帯部３２のそれぞれの他端側には、左側帯部３１及び右側帯部３２の相手方の他端側への着脱を可能にする面ファスナが着脱部として設けられている。しかしながら、左側帯部３１及び右側帯部３２の一方の他端側にボタンが設けられており、他方の他端側にそのボタンが嵌め込まれる孔又は穴が設けられてもよい。要するに、左側帯部３１及び右側帯部３２のそれぞれの他端側には、左側帯部３１及び右側帯部３２の相手方の他端側への着脱を可能にする着脱部が設けられていればよい。
【００４３】
また、上述した実施の形態では、眼鏡フレーム後側部材３の左側帯部３１及び右側帯部３２のそれぞれの幅は例えば７〜２５ｍｍ程度であり、厚さは例えば１〜３ｍｍ程度であり、長さは例えば１５０〜２５０ｍｍ程度である。しかしながら、左側帯部３１及び右側帯部３２のそれぞれの幅、厚さ及び長さは、上述した実施の形態に限定されない。
【００４４】
また、眼鏡フレーム後側部材３の左側帯部３１及び右側帯部３２のそれぞれには、取っ手が設けられてもよい。使用者は、取っ手を用いることにより、左側帯部３１及び右側帯部３２をより容易に取り扱うことができる。また、上述した実施の形態では、眼鏡フレーム後側部材３の左側帯部３１の一端側を眼鏡フレーム前側部材２の左側リム２１の外側部に設けられている枠に取り付ける場合、面ファスナ３１ａを折り返して上記一端側を上記枠に取り付ける。その場合、面ファスナ３１ａのある部分と別の部分とが貼り合わせられた箇所にピンを貫通させることにより、左側帯部３１の一端側の枠への取り付けを補強してもよい。同様に、右側帯部３２の面ファスナ３２ａのある部分と別の部分とが貼り合わせられた箇所にピンを貫通させることにより、右側帯部３２の一端側の右側リム２２の外側部に設けられている枠への取り付けを補強してもよい。
【００４５】
また、上述した実施の形態では、眼鏡フレーム後側部材３は、左側帯部３１と右側帯部３２とを有する。しかしながら、眼鏡フレーム後側部材３は、少なくとも一部に弾性を有する一つの帯状体であってもよい。その場合、使用者は、眼鏡フレーム前側部材２の左側リム２１の外側部に設けられている枠に眼鏡フレーム後側部材３の一端側を上述のように面ファスナにより取り付け、かつ右側リム２２の外側部に設けられている枠に眼鏡フレーム後側部材３の他端側を上述のように面ファスナにより取り付けて、レンズが掛止機能付き眼鏡フレームに装着された眼鏡をかぶるようにして掛ける。眼鏡フレーム後側部材３が弾性部を含むので長さ方向等に伸び、それにより使用者は、眼鏡フレーム後側部材３を後頭部に接触させながら、眼鏡を容易に掛けることができる。また、眼鏡フレーム後側部材３が弾性部を含むので長さ方向等に伸び、それにより使用者は、眼鏡フレーム後側部材３を後頭部に接触させた状態で、目の前と前頭部との間で眼鏡フレーム前側部材２を容易に移動させることができる。眼鏡は頭部に常時位置するので、使用者は眼鏡の掛けはずし動作を簡単に行うことができる。また、眼鏡をはずした使用者は眼鏡に邪魔されることなく行動することができる。
【００４６】
更に、上述した実施の形態では、眼鏡フレーム前側部材２の左側リム２１の外側部に枠が設けられており、眼鏡フレーム前側部材２の右側リム２２の外側部に枠が設けられており、それらに対応して、眼鏡フレーム後側部材３の端側に面ファスナが設けられている。しかしながら、眼鏡フレーム前側部材２の左側リム２１及び右側リム２２のそれぞれの外側部には枠以外の係合部が設けられていてもよい。その場合、眼鏡フレーム後側部材３の端側には、それらの係合部への取り付け及び取り外しを比較的容易に行うことができる取付部が設けられる。
【産業上の利用可能性】
【００４７】
本発明の掛止機能付き眼鏡フレーム、眼鏡フレーム前側部材、及び眼鏡フレーム後側部材は、眼鏡を構成する部材として有用である。眼鏡の例として、老眼鏡、子供用眼鏡、及び工場で使用される眼鏡が挙げられる。
【符号の説明】
【００４８】
１  掛止機能付き眼鏡フレーム
２  眼鏡フレーム前側部材
３  眼鏡フレーム後側部材
２１  左側リム
２２  右側リム
２３  ブリッジ
２４  左枠状凸片
２５  右枠状凸片
２６  左鼻パッド
２７  右鼻パッド
３１  左側帯部
３１ａ  面ファスナ
３１ｂ  面ファスナ
３２  右側帯部
３２ａ  面ファスナ
３２ｂ  面ファスナ
【図１】
2012185370.tif 000003
【図２】
2012185370.tif 000004
【図３】
2012185370.tif 000005
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
左右のレンズのそれぞれを保持するための左右一対のリム、それら左右一対のリムを接続するブリッジ、上記左のリムの外側部に設けられている左係合部、及び上記右のリムの外側部に設けられている右係合部を有する眼鏡フレーム前側部材と、
上記左係合部に取り付けられる左取付部が一端側に設けられておりかつ弾性部を含む左側帯部、及び上記右係合部に取り付けられる右取付部が一端側に設けられておりかつ弾性部を含む右側帯部を有する眼鏡フレーム後側部材とを備え、
上記左側帯部及び上記右側帯部のそれぞれが、他端側に設けられ、上記左側帯部及び上記右側帯部の相手方の上記他端側への着脱を可能にする着脱部を含み、
上記左係合部及び上記右係合部が枠状凸片であり、
上記左取付部及び上記右取付部が面ファスナである
掛止機能付き眼鏡フレーム。
【請求項２】
上記眼鏡フレーム前側部材が、上記左右一対のリムのそれぞれの対向部又は上記ブリッジに設けられている弾性体の鼻パッドを更に有する
請求項１に記載の掛止機能付き眼鏡フレーム。
【請求項３】
上記左側帯部及び上記右側帯部の着脱部の一方がボタンであり、他方が孔又は穴である
請求項１又は請求項２に記載の掛止機能付き眼鏡フレーム。
【請求項４】
左右のレンズのそれぞれを保持するための左右一対のリムと、
それら左右一対のリムを接続するブリッジと、
上記左のリムの外側部に設けられている左係合部と、
上記右のリムの外側部に設けられている右係合部と、
上記左右一対のリムのそれぞれの対向部又は上記ブリッジに設けられている弾性体の鼻パッドとを備え、
上記左係合部及び上記右係合部が枠状凸片であり、
上記左係合部には、掛止機能付き眼鏡フレームの眼鏡フレーム後側部材の左側帯部の左取付部としての面ファスナが取り付けられ、
上記右係合部には、上記眼鏡フレーム後側部材の右側帯部の右取付部としての面ファスナが取り付けられる
眼鏡フレーム前側部材。
【請求項５】
掛止機能付き眼鏡フレームの眼鏡フレーム前側部材の左係合部としての枠状凸片に取り付けられる左取付部が一端側に設けられており、かつ弾性部を有する左側帯部と、
上記眼鏡フレーム前側部材の右係合部としての枠状凸片に取り付けられる右取付部が一端側に設けられており、かつ弾性部を有する右側帯部とを備え、
上記左側帯部及び上記右側帯部のそれぞれが、他端側に設けられ、上記左側帯部及び上記右側帯部の相手方の上記他端側への着脱を可能にする着脱部を有し、
上記左取付部及び上記右取付部が面ファスナである
眼鏡フレーム後側部材。
【請求項６】
上記左側帯部及び上記右側帯部の着脱部の一方がボタンであり、他方が孔又は穴である
請求項５に記載の眼鏡フレーム後側部材。
【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
左右のレンズのそれぞれを保持するための左右一対のリム、それら左右一対のリムを接続するブリッジ、上記左のリムの外側部に設けられている左係合部、及び上記右のリムの外側部に設けられている右係合部を有する眼鏡フレーム前側部材と、
上記左係合部に取り付けられる左取付部が一端側に設けられておりかつ復元力を有する弾性部を含む左側帯部、及び上記右係合部に取り付けられる右取付部が一端側に設けられておりかつ復元力を有する弾性部を含む右側帯部を有する眼鏡フレーム後側部材とを備え、
上記左側帯部及び上記右側帯部のそれぞれが、他端側に設けられ、上記左側帯部及び上記右側帯部の相手方の上記他端側への着脱を可能にする着脱部を含み、
上記左係合部及び上記右係合部が枠状凸片であり、
上記左取付部及び上記右取付部が面ファスナである
掛止機能付き眼鏡フレーム。
【請求項２】
上記眼鏡フレーム前側部材が、上記左右一対のリムのそれぞれの対向部又は上記ブリッジに設けられている弾性体の鼻パッドを更に有する
請求項１に記載の掛止機能付き眼鏡フレーム。
【請求項３】
上記左側帯部及び上記右側帯部の着脱部の一方がボタンであり、他方が孔又は穴である
請求項１又は請求項２に記載の掛止機能付き眼鏡フレーム。
【請求項４】
左右のレンズのそれぞれを保持するための左右一対のリムと、
それら左右一対のリムを接続するブリッジと、
上記左のリムの外側部に設けられている左係合部と、
上記右のリムの外側部に設けられている右係合部と、
上記左右一対のリムのそれぞれの対向部又は上記ブリッジに設けられている弾性体の鼻パッドとを備え、
上記左係合部及び上記右係合部が枠状凸片であり、
上記左係合部には、掛止機能付き眼鏡フレームの眼鏡フレーム後側部材の左側帯部の左取付部としての面ファスナが取り付けられ、
上記右係合部には、上記眼鏡フレーム後側部材の右側帯部の右取付部としての面ファスナが取り付けられる
眼鏡フレーム前側部材。
【請求項５】
掛止機能付き眼鏡フレームの眼鏡フレーム前側部材の左係合部としての枠状凸片に取り付けられる左取付部が一端側に設けられており、かつ復元力を有する弾性部を有する左側帯部と、
上記眼鏡フレーム前側部材の右係合部としての枠状凸片に取り付けられる右取付部が一端側に設けられており、かつ復元力を有する弾性部を有する右側帯部とを備え、
上記左側帯部及び上記右側帯部のそれぞれが、他端側に設けられ、上記左側帯部及び上記右側帯部の相手方の上記他端側への着脱を可能にする着脱部を有し、
上記左取付部及び上記右取付部が面ファスナである
眼鏡フレーム後側部材。
【請求項６】
上記左側帯部及び上記右側帯部の着脱部の一方がボタンであり、他方が孔又は穴である
請求項５に記載の眼鏡フレーム後側部材。
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
左右のレンズのそれぞれを保持するための左右一対のリム、それら左右一対のリムを接続するブリッジ、上記左のリムの外側部に設けられている左係合部、及び上記右のリムの外側部に設けられている右係合部を有する眼鏡フレーム前側部材と、
上記左係合部に取り付けられる左取付部が一端側に設けられておりかつ復元力を有する弾性部を含む左側帯部、及び上記右係合部に取り付けられる右取付部が一端側に設けられておりかつ復元力を有する弾性部を含む右側帯部を有する眼鏡フレーム後側部材とを備え、
上記左側帯部及び上記右側帯部のそれぞれが、他端側に設けられ、上記左側帯部及び上記右側帯部の相手方の上記他端側への着脱を可能にする着脱部を含み、
上記左係合部及び上記右係合部が枠状凸片であり、
上記左取付部及び上記右取付部が面ファスナである
掛止機能付き眼鏡フレーム。
【請求項２】
上記眼鏡フレーム前側部材が、上記左右一対のリムのそれぞれの対向部又は上記ブリッジに設けられている弾性体の鼻パッドを更に有する
請求項１に記載の掛止機能付き眼鏡フレーム。
【請求項３】
上記左側帯部及び上記右側帯部の着脱部の一方がボタンであり、他方が孔又は穴である
請求項１又は請求項２に記載の掛止機能付き眼鏡フレーム。
【請求項４】
左右のレンズのそれぞれを保持するための左右一対のリムと、
それら左右一対のリムを接続するブリッジと、
上記左のリムの外側部に設けられている左係合部と、
上記右のリムの外側部に設けられている右係合部と、
上記左右一対のリムのそれぞれの対向部又は上記ブリッジに設けられている弾性体の鼻パッドとを備え、
上記左係合部及び上記右係合部が枠状凸片であり、
上記左係合部には、掛止機能付き眼鏡フレームの眼鏡フレーム後側部材の左側帯部の左取付部としての面ファスナが取り付けられており、
上記右係合部には、上記眼鏡フレーム後側部材の右側帯部の右取付部としての面ファスナが取り付けられている
眼鏡フレーム前側部材。
【請求項５】
掛止機能付き眼鏡フレームの眼鏡フレーム前側部材の左係合部としての枠状凸片に取り付けられる左取付部が一端側に設けられており、かつ復元力を有する弾性部を有する左側帯部と、
上記眼鏡フレーム前側部材の右係合部としての枠状凸片に取り付けられる右取付部が一端側に設けられており、かつ復元力を有する弾性部を有する右側帯部とを備え、
上記左側帯部及び上記右側帯部のそれぞれが、他端側に設けられ、上記左側帯部及び上記右側帯部の相手方の上記他端側への着脱を可能にする着脱部を有し、
上記左取付部及び上記右取付部が面ファスナである
眼鏡フレーム後側部材。
【請求項６】
上記左側帯部及び上記右側帯部の着脱部の一方がボタンであり、他方が孔又は穴である
請求項５に記載の眼鏡フレーム後側部材。